(57)【特許請求の範囲】
【請求項１】
ホームエレベータの救出依頼信号が外部に送信された後、前記ホームエレベータが設けられた建築物に向かう者の属性と到着予想時間とを前記ホームエレベータのかごに設けられた階床釦で報知するエレベータ制御装置、
を備え、
前記エレベータ制御装置は、前記階床釦の種類で前記建築物に向かう者の属性を報知し、前記階床釦の点灯状態で前記建築物に向かう者の到着予想時間を報知するホームエレベータの利用者救出システム。
【請求項２】
前記ホームエレベータからの救出依頼信号を受信した際に前記ホームエレベータの情報を予め登録された者の携帯端末に送信し、前記携帯端末からの到着信号を受信した際に前記携帯端末を携帯した者の到着を示す信号を送信する管理装置、
を備え、
前記エレベータ制御装置は、前記携帯端末を携帯した者の到着を示す信号が送信された際に前記携帯端末を携帯した者の属性に対応した階床釦を消灯させることで前記携帯端末を携帯した者の到着を報知する請求項１に記載のホームエレベータの利用者救出システム。
【請求項３】
ホームエレベータの救出依頼信号が外部に送信された後、前記ホームエレベータが設けられた建築物に向かう者の属性と到着予想時間とを前記ホームエレベータのかごに設けられた階床釦で報知するエレベータ制御装置、
を備え、
前記エレベータ制御装置は、前記階床釦の点灯状態で前記建築物に向かう者の属性を報知し、前記階床釦の種類で前記建築物に向かう者の到着予想時間を報知するホームエレベータの利用者救出システム。
【請求項４】
前記ホームエレベータからの救出依頼信号を受信した際に前記ホームエレベータの情報を予め登録された者の携帯端末に送信し、前記携帯端末からの到着信号を受信した際に前記携帯端末を携帯した者の到着を示す信号を送信する管理装置、
を備え、
前記エレベータ制御装置は、前記携帯端末を携帯した者の到着を示す信号が送信された際に前記携帯端末を携帯した者の属性に対応した点灯状態での階床釦の点灯を停止させることで前記携帯端末を携帯した者の到着を報知する請求項３に記載のホームエレベータの利用者救出システム。
【請求項５】
前記エレベータ制御装置は、前記携帯端末を携帯した者の到着を報知した状況において予め設定された順番で前記階床釦が操作された際に前記建築物の出入口の扉に設けられた電子錠に対する解錠信号を送信する請求項２または請求項４に記載のホームエレベータの利用者救出システム。
【請求項６】
前記管理装置は、前記かごに設けられた開釦の操作回数に応じた信号が送信された際に前記ホームエレベータの情報として当該信号に応じた情報を予め登録された者の携帯端末に送信する請求項２または請求項４に記載のホームエレベータの利用者救出システム。
【請求項７】
ホームエレベータの救出依頼信号が外部に送信された後、前記ホームエレベータが設けられた建築物に向かう者の属性と到着予想時間とを前記ホームエレベータのかごに設けられた階床釦で報知する到着予想時間報知工程、
を備え、
前記到着予想時間報知工程は、前記階床釦の種類で前記建築物に向かう者の属性を報知し、前記階床釦の点灯状態で前記建築物に向かう者の到着予想時間を報知する工程を含むホームエレベータの利用者救出方法。
【請求項８】
前記ホームエレベータの救出依頼信号が管理装置に受信された際に前記ホームエレベータの情報を予め登録された者の携帯端末に送信するホームエレベータ情報送信工程と、
前記携帯端末からの到着信号が前記管理装置に受信された際に前記携帯端末を携帯した者の属性に対応した階床釦を消灯させることで前記携帯端末を携帯した者の到着を報知する到着報知工程と、
を備えた請求項７に記載のホームエレベータの利用者救出方法。
【請求項９】
ホームエレベータの救出依頼信号が外部に送信された後、前記ホームエレベータが設けられた建築物に向かう者の属性と到着予想時間とを前記ホームエレベータのかごに設けられた階床釦で報知する到着予想時間報知工程、
を備え、
前記到着予想時間報知工程は、前記階床釦の点灯状態で前記建築物に向かう者の属性を報知し、前記階床釦の種類で前記建築物に向かう者の到着予想時間を報知する工程を含むホームエレベータの利用者救出方法。
【請求項１０】
前記ホームエレベータの救出依頼信号が管理装置に受信された際に前記ホームエレベータの情報を予め登録された者の携帯端末に送信するホームエレベータ情報送信工程と、
前記携帯端末からの到着信号が前記管理装置に受信された際に前記携帯端末を携帯した者の属性に対応した点灯状態での階床釦の点灯を停止させることで前記携帯端末を携帯した者の到着を報知する到着報知工程と、
を備えた請求項９に記載のホームエレベータの利用者救出方法。
【請求項１１】
前記携帯端末を携帯した者の到着を報知した状況において予め設定された順番で前記階床釦が操作された際に前記建築物の出入口の扉に設けられた電子錠を解く解錠工程、
を備えた請求項８または請求項１０に記載のホームエレベータの利用者救出方法。
【請求項１２】
前記ホームエレベータ情報送信工程は、前記かごに設けられた開釦の操作回数に応じた信号が前記管理装置により受信された際に前記ホームエレベータの情報として当該信号に応じた情報を予め登録された者の携帯端末に送信する工程を含む請求項８または請求項１０に記載のホームエレベータの利用者救出方法。
【発明の詳細な説明】
【技術分野】
【０００１】
この発明は、ホームエレベータの利用者救出システムおよび利用者救出方法に関する。
【背景技術】
【０００２】
特許文献１は、ホームエレベータの利用者救出システムを開示する。当該利用者救出システムにおいて、利用者がかごに閉じ込められた際、ホームエレベータは、救出依頼信号を保守会社の管理装置に送信する。管理装置が当該救出依頼信号を受信した際、保守会社の者は、救出員に連絡する。救出員は、ホームエレベータが設けられた建築物に向かう。この際、利用者が解除スイッチを操作すると、建築物の出入口の錠が解かれる。このため、救出員は、建築物の内部に進入して、利用者を救出することができる。
【先行技術文献】
【特許文献】
【０００３】
【特許文献１】特開平４−１７３６７７号公報
【発明の概要】
【発明が解決しようとする課題】
【０００４】
しかしながら、特許文献１に記載のものにおいては、かごの内部の利用者は、建築物に向かう者の到着時間を認識することができない。このため、当該利用者は、不安を覚える。
【０００５】
この発明は、上述の課題を解決するためになされた。この発明の目的は、かごの内部に閉じ込められた利用者に対して建築物に向かう者の到着予想時間を報知することができるホームエレベータの利用者救出システムおよび利用者救出方法を提供することである。
【課題を解決するための手段】
【０００６】
この発明に係るホームエレベータの利用者救出システムは、ホームエレベータの救出依頼信号が外部に送信された後、前記ホームエレベータが設けられた建築物に向かう者の属性と到着予想時間とを前記ホームエレベータのかごに設けられた階床釦で報知するエレベータ制御装置、を備え、前記エレベータ制御装置は、前記階床釦の種類で前記建築物に向かう者の属性を報知し、前記階床釦の点灯状態で前記建築物に向かう者の到着予想時間を報知する。
この発明に係るホームエレベータの利用者救出システムは、ホームエレベータの救出依頼信号が外部に送信された後、前記ホームエレベータが設けられた建築物に向かう者の属性と到着予想時間とを前記ホームエレベータのかごに設けられた階床釦で報知するエレベータ制御装置、を備え、前記エレベータ制御装置は、前記階床釦の点灯状態で前記建築物に向かう者の属性を報知し、前記階床釦の種類で前記建築物に向かう者の到着予想時間を報知する。
【０００７】
この発明に係るホームエレベータの利用者救出方法は、ホームエレベータの救出依頼信号が外部に送信された後、前記ホームエレベータが設けられた建築物に向かう者の属性と到着予想時間とを前記ホームエレベータのかごに設けられた階床釦で報知する到着予想時間報知工程、を備え、前記到着予想時間報知工程は、前記階床釦の種類で前記建築物に向かう者の属性を報知し、前記階床釦の点灯状態で前記建築物に向かう者の到着予想時間を報知する工程を含む。
この発明に係るホームエレベータの利用者救出方法は、ホームエレベータの救出依頼信号が外部に送信された後、前記ホームエレベータが設けられた建築物に向かう者の属性と到着予想時間とを前記ホームエレベータのかごに設けられた階床釦で報知する到着予想時間報知工程、を備え、前記到着予想時間報知工程は、前記階床釦の点灯状態で前記建築物に向かう者の属性を報知し、前記階床釦の種類で前記建築物に向かう者の到着予想時間を報知する工程を含む。
【発明の効果】
【０００８】
これらの発明によれば、建築物に向かう者の属性と到着予想時間とは、階床釦の点灯状態で報知される。このため、かごの内部に閉じ込められた利用者に対して建築物に向かう者の到着予想時間を報知することができる。
【図面の簡単な説明】
【０００９】
【図１】この発明の実施の形態１におけるホームエレベータの利用者救出システムの構成図である。
【図２】この発明の実施の形態１におけるホームエレベータの利用者救出システムの動作を説明するためのフローチャートである。
【図３】この発明の実施の形態１におけるホームエレベータの利用者救出システムの動作を説明するためのフローチャートである。
【図４】この発明の実施の形態１におけるホームエレベータの利用者救出システムの動作を説明するためのフローチャートである。
【図５】この発明の実施の形態１におけるホームエレベータの利用者救出システムに適用されたエレベータ制御装置のハードウェア構成図である。
【図６】この発明の実施の形態２におけるホームエレベータの利用者救出システムが適用されたホームエレベータのかごの操作盤の正面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１におけるホームエレベータの利用者救出システムの構成図である。
【００１２】
図１において、建築物１は、住居である。扉２は、建築物１の出入口に設けられる。電子錠３は、扉２に設けられる。入力装置４は、出入口において建築物１の外側に設けられる。電子錠制御装置５は、建築物１の内部に設けられる。電子錠制御装置５の入力部は、入力装置４の出力部に接続される。電子錠制御装置５の出力部は、電子錠３の入力部に接続される。
【００１３】
ホームエレベータ６は、建築物１の内部に設けられる。ホームエレベータ６は、かご７を備える。操作盤８は、かご７の内壁に設けられる。例えば、操作盤８は、第１階床釦９と第２階床釦１０と第３階床釦１１と開釦１２とインターホン釦１３とを備える。
【００１４】
第１階床釦９は、操作盤８の中央に設けられる。第１階床釦９は、「１」を表示する。第２階床釦１０は、操作盤８において第１階床釦９の直上に設けられる。第２階床釦１０は、「２」を表示する。第３階床釦１１は、操作盤８において第２階床釦１０の直上に設けられる。第３階床釦１１は、「３」を表示する。開釦１２は、操作盤８において第１階床釦９の直下に設けられる。開釦１２は、「開」を表示する。インターホン釦１３は、第３階床釦１１の直上に設けられる。インターホン釦１３は、受話器の図を表示する。
【００１５】
エレベータ制御装置１４は、かご７に接続される。監視装置１５は、エレベータ制御装置１４に接続される。監視装置１５は、電子錠制御装置５に接続される。
【００１６】
管理装置１６は、建築物１の外部に設けられる。例えば、管理装置１６は、ホームエレベータ６の保守会社に設けられる。管理装置１６は、固定電話回線１７を介して監視装置１５に接続される。
【００１７】
ホームエレベータ６においてかご７の停止中に開釦１２が操作された際、かご７のドアが開く。第１階床釦９が操作されると、エレベータ制御装置１４は、１階をかご７の行先階として認識する。第２階床釦１０が操作されると、エレベータ制御装置１４は、２階をかご７の行先階として認識する。第３階床釦１１が操作されると、エレベータ制御装置１４は、３階をかご７の行先階として認識する。
【００１８】
エレベータ制御装置１４は、ホームエレベータ６の動作を制御する。利用者がかご７に閉じ込められた場合、エレベータ制御装置１４は、利用者の閉じ込めを検出する。例えば、エレベータ制御装置１４は、かご７の走行後に１分間継続してドアが閉じた状態を維持した場合に利用者の閉じ込めを検出する。この際、監視装置１５は、救出依頼条件が満たされているか否かを判定する。
【００１９】
救出依頼条件が満たされている場合、監視装置１５は、固定電話回線１７を介して救出依頼信号を管理装置１６に送信する。例えば、エレベータ制御装置１４がインターホン釦１３の操作を検出した場合、監視装置１５は、固定電話回線１７を介して救出依頼信号を管理装置１６に送信する。
【００２０】
管理装置１６は、当該救出依頼信号を受信した際に電子メール等を用いて当該ホームエレベータ６の情報を予め登録された者の携帯端末１８に送信する。例えば、管理装置１６は、当該救出依頼信号を受信した際に当該ホームエレベータ６の情報を利用者の家族の携帯端末１８に送信する。例えば、管理装置１６は、当該救出依頼信号を受信した際に当該ホームエレベータ６の情報を利用者の親戚の携帯端末１８に送信する。例えば、管理装置１６は、当該救出依頼信号を受信した際に当該ホームエレベータ６の情報を救出員の携帯端末１８に送信する。
【００２１】
例えば、家族に対しては、「ホームエレベータの閉じ込めが発生しました。自宅までの到着予想時間を次の番号から選択し、メールを返信してください。「１」１５分以内。「２」３０分以内。「３」６０分以内。「４」到着不可。」との情報が送信される。
【００２２】
予め登録された者は、携帯端末１８を用いて当該ホームエレベータ６の情報に基づいて当該ホームエレベータ６が設けられた建築物１への到着予想時間を示す信号を管理装置１６に送信する。管理装置１６は、到着予想時間を示す信号を受信した際に当該携帯端末１８を携帯した者の属性と到着予想時間とを示す信号を監視装置１５に送信する。
【００２３】
監視装置１５が当該携帯端末１８を携帯した者の属性と到着予想時間とを示す信号を受信した際、エレベータ制御装置１４は、当該携帯端末１８を携帯した者の属性と到着予想時間とを階床釦の点灯状態で報知する。例えば、エレベータ制御装置１４は、階床釦の種類で当該携帯端末１８を携帯した者の属性を報知し、階床釦の点灯状態で当該携帯端末１８を携帯した者の到着予想時間を報知する。
【００２４】
例えば、救出員の到着予想時間は、第１階床釦９の点灯状態で報知される。例えば、家族の到着予想時間は、第２階床釦１０の点灯状態で報知される。例えば、親戚の到着予想時間は、第３階床釦１１の点灯状態で報知される。
【００２５】
例えば、到着予想時間が１５分以内の場合、その旨は、階床釦を点灯させることにより報知される。例えば、到着予想時間が３０分以内の場合、その旨は、階床釦を低速で点滅させることにより報知される。例えば、到着時間が６０分以内の場合、その旨は、階床釦を中速で点滅させることにより報知される。例えば、到着できない事情がある場合、その旨は、階床釦を高速で点滅させることにより報知される。
【００２６】
かご７の内部において、利用者は、予め登録された者に対して状況を連絡する。具体的には、利用者は、階床釦を操作することにより連絡する相手を選択した後、階床釦を操作することにより予め設定されたメッセージを選択する。この際、階床釦が操作された後に開釦１２を操作されることを条件として連絡する相手とメッセージとを確定してもよい。
【００２７】
例えば、利用者は、第１階床釦９を操作することで救出員を選択する。例えば、利用者は、第２階床釦１０を操作することで家族を選択する。例えば、利用者は、第３階床釦１１を操作することで親戚を選択する。
【００２８】
例えば、連絡する相手が選択された後に第１階床釦９が操作された場合、「怪我をして命の危機にあります。」とのメッセージが選択される。例えば、連絡する相手が選択された後に第２階床釦１０が操作された場合、「怪我をしましたが命に問題はありません。」とのメッセージが選択される。例えば、連絡する相手が選択された後に第３階床釦１１が操作された場合、「異常はありません。」とのメッセージが選択される。
【００２９】
これらのメッセージは、エレベータ制御装置１４と監視装置１５と管理装置１６とを介して選択された相手に送信される。
【００３０】
管理装置１６は、救出員の携帯端末１８からの到着信号を受信した際に救出員の到着を示す信号を監視装置１５に送信する。この際、エレベータ制御装置１４は、第１階床釦９を消灯させる。管理装置１６は、家族の携帯端末１８からの到着信号を受信した際に家族の到着を示す信号を監視装置１５に送信する。この際、エレベータ制御装置１４は、第２階床釦１０を消灯させる。管理装置１６は、家族の携帯端末１８からの到着信号を受信した際に親戚の到着を示す信号を監視装置１５に送信する。この際、エレベータ制御装置１４は、第３階床釦１１を消灯させる。
【００３１】
監視装置１５が救出員の到着を示す受信した際、監視装置１５は、解錠条件が満たされているか否かを判定する。解錠条件が満たされている場合、監視装置１５は、電子錠３に対する解錠信号を電子錠制御装置５に送信する。例えば、監視装置１５は、予め設定された順番で階床釦が操作された際に電子錠３に対する解錠信号を電子錠制御装置５に送信する。この際、階床釦が操作された後に開釦１２を操作されることを解錠条件としてもよい。
【００３２】
電子錠制御装置５は、当該解錠信号を受信した際に電子錠３を解く。その後、救出員は、当該建築物１の内部に進入する。その後、救出員は、ホームエレベータ６に向かう。その後、救出員は、かご７に閉じ込められた利用者を救出する。
【００３３】
次に、図２から図４を用いて、ホームエレベータ６の利用者救出システムの動作を説明する。
図２から図４はこの発明の実施の形態１におけるホームエレベータの利用者救出システムの動作を説明するためのフローチャートである。
【００３４】
ステップＳ１では、エレベータ制御装置１４は、利用者がかご７の内部に閉じ込められているか否かを判定する。ステップＳ１で利用者がかご７の内部に閉じ込められていない場合は、ステップＳ１が繰り返される。ステップＳ１で利用者がかご７の内部に閉じ込められている場合は、ステップＳ２に進む。
【００３５】
ステップＳ２では、監視装置１５は、救出依頼条件が満たされている否かを判定する。ステップＳ２で救出依頼条件が満たされていない場合は、ステップＳ１に戻る。ステップＳ２で救出依頼条件が満たされている場合は、ステップＳ３に進む。
【００３６】
ステップＳ３では、監視装置１５は、救出依頼信号を管理装置１６に送信する。その後、ステップＳ４に進む。ステップＳ４では、管理装置１６は、当該ホームエレベータ６において閉じ込めが発生したことを示す情報を電子メール等で予め登録された者の携帯端末１８に送信する。その後、ステップＳ５に進む。
【００３７】
ステップＳ５では、管理装置１６は、到着予想時間を示す信号を受信したか否かを判定する。ステップＳＳ５で管理装置１６が到着予想時間を示す信号を受信していない場合は、ステップＳ５が繰り返される。ステップＳ５で管理装置１６が到着予想時間を示す信号を受信した場合は、ステップＳ６に進む。
【００３８】
ステップＳ６では、管理装置１６は、当該携帯端末１８を携帯した者の属性と到着予想時間とを示す信号を監視装置１５に送信する。その後、ステップＳ７に進む。ステップＳ７では、エレベータ制御装置１４は、当該携帯端末１８を携帯した者の属性と到着予想時間とを階床釦の点灯状態で報知する。その後、ステップＳ８に進む。
【００３９】
ステップＳ８では、管理装置１６は、利用者が階床釦を操作後に開釦を操作したか否かを判定する。
【００４０】
ステップＳ８で利用者が階床釦を操作後に開釦を操作した場合は、ステップＳ９に進む。ステップＳ９では、管理装置１６は、予め設定された属性の相手を選択する。その後、ステップＳ１０に進む。
【００４１】
ステップＳ１０では、管理装置１６は、利用者が階床釦を操作後に開釦を操作したか否かを判定する。
【００４２】
ステップＳ１０で利用者が階床釦を操作後に開釦を操作していない場合は、ステップＳ８に戻る。ステップＳ１０で利用者が階床釦を操作後に開釦を操作した場合は、ステップＳ１１に進む。ステップＳ１１では、管理装置１６は、予め設定されたメッセージを選択して当該メッセージをステップＳ９で選択された相手に送信する。その後、ステップＳ１２に進む。
【００４３】
ステップＳ８で利用者が階床釦を操作後に開釦を操作していない場合は、ステップＳ９からステップＳ１１を経由せずにステップＳ１２に進む。
【００４４】
ステップＳ１２では、管理装置１６は、携帯端末１８からの到着信号を受信したか否かを判定する。ステップＳ１２で管理装置１６が携帯端末１８からの到着信号を受信していない場合は、ステップＳ１２が繰り返される。ステップＳ１２で管理装置１６が携帯端末１８からの到着信号を受信した場合は、ステップＳ１３に進む。
【００４５】
ステップＳ１３では、監視装置１５は、救出員の到着を示す信号を受信した否かを判定する。ステップＳ１３で監視装置１５が救出員の到着を示す信号を受信していない場合は、ステップＳ１２に戻る。ステップＳ１３で監視装置１５が救出員の到着を示す信号を受信した場合は、ステップＳ１４に進む。
【００４６】
ステップＳ１４では、監視装置１５は、予め設定された時間（例えば、数十秒）が経過したか否かを判定する。
【００４７】
ステップＳ１４で予め設定された時間が経過していない場合は、ステップＳ１５に進む。ステップＳ１５では、監視装置１５は、解錠条件が満たされているか否かを判定する。ステップＳ１５で解錠条件が満たされていない場合は、ステップＳ１４に戻る。ステップＳ１５で解錠条件が満たされている場合は、ステップＳ１６に進む。
【００４８】
ステップＳ１６では、監視装置１５は、解錠信号を電子錠制御装置５に送信する。その後、電子錠制御装置５は、電子錠３を解く。その後、動作が終了する。
【００４９】
ステップＳ１４で予め設定された時間が経過した場合は、ステップＳ１７に進む。ステップＳ１７では、監視装置１５は、解錠信号を電子錠制御装置５に送信しない。このため、電子錠制御装置５は、電子錠３を解かない。この際、監視装置１５は、固定電話回線１７を介して警察機関、消防機関等に通報する。その後、動作が終了する。
【００５０】
以上で説明した実施の形態１によれば、建築物１に向かう者の属性と到着予想時間とは、階床釦の点灯状態で報知される。このため、かご７の内部に閉じ込められた利用者に対して建築物１に向かう者の到着予想時間を報知することができる。
【００５１】
具体的には、建築物１に向かう者の属性は、階床釦の種類で報知される。建築物１に向かう者の到着予想時間は、階床釦の点灯状態で報知される。このため、かご７の内部に閉じ込められた利用者に対して建築物１に向かう者の属性と到着予想時間とを正確に報知することができる。
【００５２】
また、エレベータ制御装置１４は、携帯端末１８を携帯した者の到着を示す信号が送信された際に携帯端末１８を携帯した者の属性に対応した階床釦を消灯させることで携帯端末１８を携帯した者の到着を報知する。このため、かご７の内部に閉じ込められた利用者に対して建築物１に到着した者の属性を報知することができる。
【００５３】
また、建築物１に到着した者の属性が報知された状況において予め設定された順番で階床釦が操作された際、電子錠３が解かれる。このため、救出員が到着するまで建築物１のセキュリティを維持しつつ、利用者を迅速に救出することができる。
【００５４】
なお、階床釦の点灯状態で当該携帯端末１８を携帯した者の属性を報知し、階床釦の種類で当該携帯端末１８を携帯した者の到着予想時間を報知してもよい。この場合も、かご７の内部に閉じ込められた利用者に対して建築物１に向かう者の属性と到着予想時間とを正確に報知することができる。
【００５５】
この際、携帯端末１８を携帯した者の到着は、当該携帯端末１８を携帯した者の属性に対応した点灯状態での階床釦の点灯を停止させることで報知すればよい。この場合も、かご７の内部に閉じ込められた利用者に対して建築物１に到着した者の属性を報知することができる。
【００５６】
次に、図５を用いて、エレベータ制御装置１４の例を説明する。
図５はこの発明の実施の形態１におけるホームエレベータの利用者救出システムに適用されたエレベータ制御装置のハードウェア構成図である。
【００５７】
エレベータ制御装置１４の各機能は、処理回路により実現される。例えば、処理回路は、少なくとも１つのプロセッサ１９ａと少なくとも１つのメモリ１９ｂとを備える。例えば、処理回路は、少なくとも１つの専用のハードウェア２０を備える。
【００５８】
処理回路が少なくとも１つのプロセッサ１９ａと少なくとも１つのメモリ１９ｂとを備える場合、エレベータ制御装置１４の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１９ｂに格納される。少なくとも１つのプロセッサ１９ａは、少なくとも１つのメモリ１９ｂに記憶されたプログラムを読み出して実行することにより、エレベータ制御装置１４の各機能を実現する。少なくとも１つのプロセッサ１９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１９ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００５９】
処理回路が少なくとも１つの専用のハードウェア２０を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、エレベータ制御装置１４の各機能それぞれは、処理回路で実現される。例えば、エレベータ制御装置１４の各機能は、まとめて処理回路で実現される。
【００６０】
エレベータ制御装置１４の各機能について、一部を専用のハードウェア２０で実現し、一部をソフトウェア又はファームウェアで実現してもよい。例えば、かご７の動作を制御する機能については専用のハードウェア２０としての処理回路で実現し、かご７の動作を制御する機能以外の機能については少なくとも１つのプロセッサ１９ａが少なくとも１つのメモリ１９ｂに格納されたプログラムを読み出して実行することによって実現してもよい。
【００６１】
このように、処理回路は、ハードウェア２０、ソフトウェア、ファームウェア、又はこれらの組み合わせによって、エレベータ制御装置１４の各機能を実現する。
【００６２】
なお、監視装置１５の各機能と管理装置１６の各機能と電子錠制御装置５の各機能も、エレベータ制御装置１４の各機能を実現する処理回路と同様の処理回路により実現される。
【００６３】
実施の形態２．
図６はこの発明の実施の形態１におけるホームエレベータの利用者救出システムが適用されたホームエレベータのかごの操作盤の正面図である。なお、実施の形態１の部分と同一又は相当部分には同一符号が付される。当該部分の説明は省略される。
【００６４】
実施の形態１においては、利用者が閉じ込められた状態でエレベータ制御装置１４がインターホン釦１３の操作を検出した場合、監視装置１５は、固定電話回線１７を介して救出依頼信号を管理装置１６に送信する。一方、実施の形態２においては、利用者が閉じ込められた状態でエレベータ制御装置１４が開釦１２の操作を検出した場合、監視装置１５は、固定電話回線１７を介して救出依頼信号を管理装置１６に送信する。
【００６５】
具体的には、エレベータ制御装置１４は、開釦１２の操作回数を検出する。エレベータ制御装置１４は、操作回数に応じた階床釦を点灯させる。例えば、操作回数が１回の場合、エレベータ制御装置１４は、第１階床釦９を点灯させる。例えば、操作回数が２回の場合、エレベータ制御装置１４は、第２階床釦１０を点灯させる。例えば、操作回数が３回の場合、エレベータ制御装置１４は、第３階床釦１１を点灯させる。
【００６６】
点灯した階床釦が操作された際、エレベータ制御装置１４は、当該階床釦を消灯させる。この際、エレベータ制御装置１４は、開釦１２の操作回数に応じた信号を送信する。監視装置１５は、当該信号に応じた救出依頼信号を送信する。
【００６７】
管理装置１６は、ホームエレベータ６の情報として当該救出依頼信号に応じた情報を予め登録された者の携帯端末１８に送信する。例えば、管理装置１６は、開釦１２の操作回数が１回の場合に対応した救出依頼信号を受信した際に「閉じ込めが発生しました。自宅への到着予想時間を連絡してください。」とのメッセージを送信する。
【００６８】
以上で説明した実施の形態２によれば、管理装置１６は、開釦１２の操作回数に応じた信号が送信された際にホームエレベータ６の情報として当該信号に応じた情報を予め登録された者の携帯端末１８に送信する。このため、建築物１に向かう者に対して適切な情報を報知することができる。
【符号の説明】
【００６９】
１  建築物、  ２  扉、  ３  電子錠、  ４  入力装置、  ５  電子錠制御装置、  ６  ホームエレベータ、  ７  かご、  ８  操作盤、  ９  第１階床釦、  １０  第２階床釦、  １１  第３階床釦、  １２  開釦、  １３  インターホン釦、  １４  エレベータ制御装置、  １５  監視装置、  １６  管理装置、  １７  固定電話回線、  １８  携帯端末、  １９ａ  プロセッサ、  １９ｂ  メモリ、  ２０  ハードウェア
【図１】
0006443261.tif 000002
【図２】
0006443261.tif 000003
【図３】
0006443261.tif 000004
【図４】
0006443261.tif 000005
【図５】
0006443261.tif 000006
【図６】
0006443261.tif 000007